【手続補正書】
【提出日】平成16年10月8日(2004.10.8)
【手続補正１】
【補正対象書類名】明細書
【補正対象項目名】００２４
【補正方法】変更
【補正の内容】
【００２４】
この電荷発生層上に、電荷輸送材料としてのヒドラゾン化合物（（株）アナン製「ＣＴＣ１９１」）１００重量部と、樹脂バインダーとしての本発明に係る下記式、
2001337467.tif 000001
で表される繰り返し単位を有するポリジアルキルシロキサン含有ポリカーボネート樹脂（粘度平均分子量４７０００）１００重量部とを、ジクロロメタン９００重量部に溶解した塗布液を塗布成膜し、温度９０℃で６０分間乾燥して、膜厚約２５μｍの電荷輸送層を形成し、有機電子写真感光体を作製した。
【手続補正２】
【補正対象書類名】明細書
【補正対象項目名】００２５
【補正方法】変更
【補正の内容】
【００２５】
実施例２
実施例１で使用した電荷輸送層用樹脂バインダーを、ポリジアルキルシロキサン含有ポリカーボネート樹脂８０重量部およびポリカーボネート樹脂（帝人化成（株）製「ＴＳ２０５０」）２０重量部に代えた以外は、実施例１と同様に作製した。
【手続補正３】
【補正対象書類名】明細書
【補正対象項目名】００２６
【補正方法】変更
【補正の内容】
【００２６】
実施例３
実施例１で使用した電荷輸送層用樹脂バインダーを、ポリジアルキルシロキサン含有ポリカーボネート樹脂５０重量部およびポリカーボネート樹脂（帝人化成（株）製「ＴＳ２０５０」）５０重量部に代えた以外は、実施例１と同様に作製した。
【手続補正４】
【補正対象書類名】明細書
【補正対象項目名】００２７
【補正方法】変更
【補正の内容】
【００２７】
比較例１
実施例１で使用した電荷輸送層用樹脂バインダーを、ポリジアルキルシロキサン含有ポリカーボネート樹脂２０重量部およびポリカーボネート樹脂（帝人化成（株）製「ＴＳ２０５０」）８０重量部に代えた以外は、実施例１と同様に作製した。
【手続補正５】
【補正対象書類名】明細書
【補正対象項目名】００２８
【補正方法】変更
【補正の内容】
【００２８】
実施例４
実施例１で使用した電荷輸送層用樹脂バインダーを、ポリジアルキルシロキサン含有ポリカーボネート樹脂８０重量部および下記式、
2001337467.tif 000002
で表される繰り返し単位を有するポリカーボネート樹脂（粘度平均分子量５１０００）２０重量部に代えた以外は、実施例１と同様に作製した。
【手続補正６】
【補正対象書類名】明細書
【補正対象項目名】００２９
【補正方法】変更
【補正の内容】
【００２９】
実施例５
実施例１で使用した電荷輸送層用樹脂バインダーを、ポリジアルキルシロキサン含有ポリカーボネート樹脂５０重量部および実施例４で使用したポリカーボネート樹脂５０重量部に代えた以外は、実施例１と同様に作製した。
【手続補正７】
【補正対象書類名】明細書
【補正対象項目名】００３０
【補正方法】変更
【補正の内容】
【００３０】
比較例２
実施例１で使用した電荷輸送層用樹脂バインダーを、ポリジアルキルシロキサン含有ポリカーボネート樹脂２０重量部および実施例４で使用したポリカーボネート樹脂８０重量部に代えた以外は、実施例１と同様に作製した。
【手続補正８】
【補正対象書類名】明細書
【補正対象項目名】００３１
【補正方法】変更
【補正の内容】
【００３１】
実施例６
実施例１で使用した電荷輸送層用樹脂バインダーを、ポリジアルキルシロキサン含有ポリカーボネート樹脂８０重量部およびポリカーボネート樹脂（帝人化成（株）製パンライト「Ｋ−１３００」）２０重量部に代えた以外は、実施例１と同様に作製した。
【手続補正９】
【補正対象書類名】明細書
【補正対象項目名】００３２
【補正方法】変更
【補正の内容】
【００３２】
実施例７
実施例１で使用した電荷輸送層用樹脂バインダーを、ポリジアルキルシロキサン含有ポリカーボネート樹脂５０重量部およびポリカーボネート樹脂（帝人化成（株）製パンライト「Ｋ−１３００」）５０重量部に代えた以外は、実施例１と同様に作製した。
【手続補正１０】
【補正対象書類名】明細書
【補正対象項目名】００３３
【補正方法】変更
【補正の内容】
【００３３】
比較例３
実施例１で使用した電荷輸送層用樹脂バインダーを、ポリジアルキルシロキサン含有ポリカーボネート樹脂２０重量部およびポリカーボネート樹脂（帝人化成（株）製パンライト「Ｋ−１３００」）８０重量部に代えた以外は、実施例１と同様に作製した。
【手続補正１１】
【補正対象書類名】明細書
【補正対象項目名】００３５
【補正方法】変更
【補正の内容】
【００３５】
実施例９
実施例８で使用した電荷輸送層用樹脂バインダーを、ポリジアルキルシロキサン含有ポリカーボネート樹脂８０重量部およびポリカーボネート樹脂（帝人化成（株）製「ＴＳ２０５０」）２０重量部に代えた以外は、実施例８と同様に作製した。
【手続補正１２】
【補正対象書類名】明細書
【補正対象項目名】００３６
【補正方法】変更
【補正の内容】
【００３６】
実施例１０
実施例８で使用した電荷輸送層用樹脂バインダーを、ポリジアルキルシロキサン含有ポリカーボネート樹脂５０重量部およびポリカーボネート樹脂（帝人化成（株）製「ＴＳ２０５０」）５０重量部に代えた以外は、実施例８と同様に作製した。
【手続補正１３】
【補正対象書類名】明細書
【補正対象項目名】００３７
【補正方法】変更
【補正の内容】
【００３７】
比較例４
実施例８で使用した電荷輸送層用樹脂バインダーを、ポリジアルキルシロキサン含有ポリカーボネート樹脂２０重量部およびポリカーボネート樹脂（帝人化成（株）製「ＴＳ２０５０」）８０重量部に代えた以外は、実施例８と同様に作製した。
【手続補正１４】
【補正対象書類名】明細書
【補正対象項目名】００３８
【補正方法】変更
【補正の内容】
【００３８】
実施例１１
実施例８で使用した電荷輸送層用樹脂バインダーをポリジアルキルシロキサン含有ポリカーボネート樹脂８０重量部および実施例４で使用したポリカーボネート樹脂２０重量部に代えた以外は、実施例８と同様に作製した。
【手続補正１５】
【補正対象書類名】明細書
【補正対象項目名】００３９
【補正方法】変更
【補正の内容】
【００３９】
実施例１２
実施例８で使用した電荷輸送層用樹脂バインダーを、ポリジアルキルシロキサン含有ポリカーボネート樹脂５０重量部および実施例４で使用したポリカーボネート樹脂５０重量部に代えた以外は、実施例８と同様に作製した。
【手続補正１６】
【補正対象書類名】明細書
【補正対象項目名】００４０
【補正方法】変更
【補正の内容】
【００４０】
比較例５
実施例８で使用した電荷輸送層用樹脂バインダーを、ポリジアルキルシロキサン含有ポリカーボネート樹脂２０重量部および実施例４で使用したポリカーボネート樹脂８０重量部に代えた以外は、実施例８と同様に作製した。
【手続補正１７】
【補正対象書類名】明細書
【補正対象項目名】００４１
【補正方法】変更
【補正の内容】
【００４１】
実施例１３
実施例８使用した電荷輸送層用樹脂バインダーを、ポリジアルキルシロキサン含有ポリカーボネート樹脂８０重量部およびポリカーボネート樹脂（帝人化成（株）製パンライト「Ｋ−１３００」）２０重量部に代えた以外は、実施例８と同様に作製した。
【手続補正１８】
【補正対象書類名】明細書
【補正対象項目名】００４２
【補正方法】変更
【補正の内容】
【００４２】
実施例１４
実施例８で使用した電荷輸送層用樹脂バインダーを、ポリジアルキルシロキサン含有ポリカーボネート樹脂５０重量部およびポリカーボネート樹脂（帝人化成（株）製パンライト「Ｋ−１３００」）５０重量部に代えた以外は、実施例８と同様に作製した。
【手続補正１９】
【補正対象書類名】明細書
【補正対象項目名】００４３
【補正方法】変更
【補正の内容】
【００４３】
比較例６
実施例８で使用した電荷輸送層用樹脂バインダーを、ポリジアルキルシロキサン含有ポリカーボネート樹脂２０重量部およびポリカーボネート樹脂（帝人化成（株）製パンライト「Ｋ−１３００」）８０重量部に代えた以外は、実施例８と同様に作製した。
【手続補正２０】
【補正対象書類名】明細書
【補正対象項目名】００４５
【補正方法】変更
【補正の内容】
【００４５】
実施例１６
実施例１５で使用した電荷輸送層用樹脂バインダーを、ポリジアルキルシロキサン含有ポリカーボネート樹脂８０重量部およびポリカーボネート樹脂（帝人化成（株）製「ＴＳ２０５０」）２０重量部に代えた以外は、実施例１５と同様に作製した。
【手続補正２１】
【補正対象書類名】明細書
【補正対象項目名】００４６
【補正方法】変更
【補正の内容】
【００４６】
実施例１７
実施例１５で使用した電荷輸送層用樹脂バインダーを、ポリジアルキルシロキサン含有ポリカーボネート樹脂５０重量部およびポリカーボネート樹脂（帝人化成（株）製「ＴＳ２０５０」）５０重量部に代えた以外は、実施例１５と同様に作製した。
【手続補正２２】
【補正対象書類名】明細書
【補正対象項目名】００４７
【補正方法】変更
【補正の内容】
【００４７】
比較例７
実施例１５で使用した電荷輸送層用樹脂バインダーを、ポリジアルキルシロキサン含有ポリカーボネート樹脂２０重量部およびポリカーボネート樹脂（帝人化成（株）製「ＴＳ２０５０」）８０重量部に代えた以外は、実施例１５と同様に作製した。
【手続補正２３】
【補正対象書類名】明細書
【補正対象項目名】００４８
【補正方法】変更
【補正の内容】
【００４８】
実施例１８
実施例１５で使用した電荷輸送層用樹脂バインダーを、ポリジアルキルシロキサン含有ポリカーボネート樹脂８０重量部および実施例４で使用したポリカーボネート樹脂２０重量部に代えた以外は、実施例１５と同様に作製した。
【手続補正２４】
【補正対象書類名】明細書
【補正対象項目名】００４９
【補正方法】変更
【補正の内容】
【００４９】
実施例１９
実施例１５で使用した電荷輸送層用樹脂バインダーを、ポリジアルキルシロキサン含有ポリカーボネート樹脂５０重量部および実施例４で使用したポリカーボネート樹脂５０重量部に代えた以外は、実施例１５と同様に作製した。
【手続補正２５】
【補正対象書類名】明細書
【補正対象項目名】００５０
【補正方法】変更
【補正の内容】
【００５０】
比較例８
実施例１５で使用した電荷輸送層用樹脂バインダーを、ポリジアルキルシロキサン含有ポリカーボネート樹脂２０重量部および実施例４で使用したポリカーボネート樹脂８０重量部に代えた以外は、実施例１５と同様に作製した。
【手続補正２６】
【補正対象書類名】明細書
【補正対象項目名】００５１
【補正方法】変更
【補正の内容】
【００５１】
実施例２０
実施例１５で使用した電荷輸送層用樹脂バインダーを、ポリジアルキルシロキサン含有ポリカーボネート樹脂８０重量部およびポリカーボネート樹脂（帝人化成（株）製パンライト「Ｋ−１３００」）２０重量部に代えた以外は、実施例１５と同様に作製した。
【手続補正２７】
【補正対象書類名】明細書
【補正対象項目名】００５２
【補正方法】変更
【補正の内容】
【００５２】
実施例２１
実施例１５で使用した電荷輸送層用樹脂バインダーを、ポリジアルキルシロキサン含有ポリカーボネート樹脂５０重量部およびポリカーボネート樹脂（帝人化成（株）製パンライト「Ｋ−１３００」）５０重量部に代えた以外は、実施例１５と同様に作製した。
【手続補正２８】
【補正対象書類名】明細書
【補正対象項目名】００５３
【補正方法】変更
【補正の内容】
【００５３】
比較例９
実施例１５で使用した電荷輸送層用樹脂バインダーを、ポリジアルキルシロキサン含有ポリカーボネート樹脂２０重量部およびポリカーボネート樹脂（帝人化成（株）製パンライト「Ｋ−１３００」）８０重量部に代えた以外は、実施例１５と同様に作製した。
【手続補正２９】
【補正対象書類名】明細書
【補正対象項目名】００５５
【補正方法】変更
【補正の内容】
【００５５】
実施例２３
実施例２２で使用した電荷輸送層用樹脂バインダーを、ポリジアルキルシロキサン含有ポリカーボネート樹脂８０重量部およびポリカーボネート樹脂（帝人化成（株）製「ＴＳ２０５０」）２０重量部に代えた以外は、実施例２２と同様に作製した。
【手続補正３０】
【補正対象書類名】明細書
【補正対象項目名】００５６
【補正方法】変更
【補正の内容】
【００５６】
実施例２４
実施例２２で使用した電荷輸送層用樹脂バインダーを、ポリジアルキルシロキサン含有ポリカーボネート樹脂５０重量部およびポリカーボネート樹脂（帝人化成（株）製「ＴＳ２０５０」）５０重量部に代えた以外は、実施例２２と同様に作製した。
【手続補正３１】
【補正対象書類名】明細書
【補正対象項目名】００５７
【補正方法】変更
【補正の内容】
【００５７】
比較例１０
実施例２２で使用した電荷輸送層用樹脂バインダーを、ポリジアルキルシロキサン含有ポリカーボネート樹脂２０重量部およびポリカーボネート樹脂（帝人化成（株）製「ＴＳ２０５０」）８０重量部に代えた以外は、実施例２２と同様に作製した。
【手続補正３２】
【補正対象書類名】明細書
【補正対象項目名】００５８
【補正方法】変更
【補正の内容】
【００５８】
実施例２５
実施例２２で使用した電荷輸送層用樹脂バインダーを、ポリジアルキルシロキサン含有ポリカーボネート樹脂８０重量部および実施例４で使用したポリカーボネート樹脂２０重量部に代えた以外は、実施例２２と同様に作製した。
【手続補正３３】
【補正対象書類名】明細書
【補正対象項目名】００５９
【補正方法】変更
【補正の内容】
【００５９】
実施例２６
実施例２２で使用した電荷輸送層用樹脂バインダーを、ポリジアルキルシロキサン含有ポリカーボネート樹脂５０重量部および実施例４で使用したポリカーボネート樹脂５０重量部に代えた以外は、実施例２２と同様に作製した。
【手続補正３４】
【補正対象書類名】明細書
【補正対象項目名】００６０
【補正方法】変更
【補正の内容】
【００６０】
比較例１１
実施例２２で使用した電荷輸送層用樹脂バインダーを、ポリジアルキルシロキサン含有ポリカーボネート樹脂２０重量部および実施例４で使用したポリカーボネート樹脂８０重量部に代えた以外は、実施例２２と同様に作製した。
【手続補正３５】
【補正対象書類名】明細書
【補正対象項目名】００６１
【補正方法】変更
【補正の内容】
【００６１】
実施例２７
実施例２２で使用した電荷輸送層用樹脂バインダーを、ポリジアルキルシロキサン含有ポリカーボネート樹脂８０重量部およびポリカーボネート樹脂（帝人化成（株）製パンライト「Ｋ−１３００」）２０重量部に代えた以外は、実施例２２と同様に作製した。
【手続補正３６】
【補正対象書類名】明細書
【補正対象項目名】００６２
【補正方法】変更
【補正の内容】
【００６２】
実施例２８
実施例２２で使用した電荷輸送層用樹脂バインダーを、ポリジアルキルシロキサン含有ポリカーボネート樹脂５０重量部およびポリカーボネート樹脂（帝人化成（株）製パンライト「Ｋ−１３００」）５０重量部に代えた以外は、実施例２２と同様に作製した。
【手続補正３７】
【補正対象書類名】明細書
【補正対象項目名】００６３
【補正方法】変更
【補正の内容】
【００６３】
比較例１２
実施例２２で使用した電荷輸送層用樹脂バインダーを、ポリジアルキルシロキサン含有ポリカーボネート樹脂２０重量部およびポリカーボネート樹脂（帝人化成（株）製パンライト「Ｋ−１３００」）８０重量部に代えた以外は、実施例２２と同様に作製した。